(57)【要約】    閉塞可能な充填狭窄部と排出構造を接続するための排出狭窄部とを有するプラスチック製の内側容器が設けられる、特に液体用輸送貯蔵容器のためのパレット状下部構造は、金属格子または金属板からなる外側ジャケットと、内側容器を支える底部と、複数のコーナー脚部と、コーナー脚部の間に配置される複数の中央脚部および底部横断部材と有している。少なくとも外側ジャケットおよび底部横断部材は、少なくとも２つの前記中央脚部に取り付けられている。各中央脚部と外側ジャケットと底部横断部材とは、ねじでぴったりと連結され、ねじは底部横断部材にぴったりと係合している。
2018508421.tif 000002
【特許請求の範囲】
【請求項１】
閉塞可能な充填狭窄部と、排出構造を接続するための排出狭窄部とを有するプラスチック製の内側容器が設けられる、特に液体用輸送貯蔵容器のためのパレット状下部構造（５１）であって、
前記下部構造は、金属格子または金属板からなる外側ジャケット（５３）と、前記内側容器を支える底部（５６）と、複数のコーナー脚部と、該コーナー脚部の間に配置される複数の中央脚部（５２）と、前記コーナー脚部の間に配置される底部横断部材（５９）とを有し、
少なくとも前記外側ジャケットおよび前記底部横断部材は、少なくとも２つの前記中央脚部に取り付けられ、
前記各中央脚部（５２）と前記外側ジャケットと前記底部横断部材とは、ねじ（６０）でぴったりと連結され、
前記ねじ（６０）は、前記底部横断部材（５９）にぴったりと係合している
ことを特徴とする下部構造。
【請求項２】
請求項１において、
前記中央脚部（５２）と前記外側ジャケット（５３）と前記底部（５６）と前記底部横断部材（５９）とは、前記ねじ（６０）でぴったりと連結されている
ことを特徴とする下部構造。
【請求項３】
請求項２において、
前記ねじ（６０）は、それぞれ前記外側ジャケット（５３）および前記底部（５６）に形成されたクリアランス開口（６５、６６）を通過している
ことを特徴とする下部構造。
【請求項４】
請求項２または３において、
前記底部（５６）にはねじ山が形成され、
前記ねじ（６０）は、前記ねじ山と係合している
ことを特徴とする下部構造。
【請求項５】
請求項１から４のいずれか１つにおいて、
前記底部横断部材（５９）は金属製であり、
前記底部（５６）は、金属またはプラスチック材料によって構成されている
ことを特徴とする下部構造。
【請求項６】
請求項１から５のいずれか１つにおいて、
前記ねじ（６０）と係合するクリアランス開口（６７）が、前記底部横断部材（５９）に形成されている
ことを特徴とする下部構造。
【請求項７】
請求項６において、
前記クリアランス開口（６７）の内径（８４）は、前記ねじ（６０）の外径（７１）よりも小さい
ことを特徴とする下部構造。
【請求項８】
請求項６または７において、
前記クリアランス開口（６７）には、くぼみ（８３）が形成されている
ことを特徴とする下部構造。
【請求項９】
請求項１から８のいずれか１つにおいて、
前記底部横断部材（５９）には、ねじ山（７３）が形成され、
前記ねじ（６０）は、前記ねじ山と係合している
ことを特徴とする下部構造。
【請求項１０】
請求項９に記載の下部構造において、
前記ねじ山（７３）は、前記ねじ（６０）を用いて形成される
ことを特徴とする下部構造。
【請求項１１】
請求項１から１０のいずれか１つにおいて、
前記ねじ（６０）は、前記中央脚部（５２）と前記外側ジャケット（５３）との間に生じる引張力が前記ねじを介して伝わるように、前記中央脚部（５２）とぴったりと係合されている
ことを特徴とする下部構造。
【請求項１２】
請求項１から１１のいずれか１つにおいて、
前記底部横断部材（５９）は、更なるねじ（６０）によって前記中央脚部（５２）にぴったりと連結されている
ことを特徴とする下部構造。
【請求項１３】
請求項１から１２のいずれか１つにおいて、
前記複数の中央脚部（５２）は、プラスチック材料によって構成されている
ことを特徴とする下部構造。
【請求項１４】
請求項１から１３のいずれか１つにおいて、
前記中央脚部（５２）には、前記ねじ（６０）と係合するねじ山が形成されている
ことを特徴とする下部構造。
【請求項１５】
請求項１から１４のいずれか１つにおいて、
互いに対向する２つの前記中央脚部（５２）が、前記底部横断部材（５９）によって互いに連結されている
ことを特徴とする下部構造。
【請求項１６】
請求項１から１５のいずれか１つにおいて、
前記底部横断部材（５９）の周辺、前記底部（５６）の周辺、および前記外側ジャケット（５３）の周縁部の周辺に達するブラケットを設け、
前記ねじ（６０）は、前記ブラケットの複数の脚を貫通している
ことを特徴とする下部構造。
【請求項１７】
閉塞可能な充填狭窄部と、排出構造を接続するための排出狭窄部とを有するプラスチック製の内側容器が設けられる液体用輸送貯蔵容器であって、
前記内側容器は、請求項１から１５の１つ以上におけるパレット状下部構造（５１）の底部に配置されている
ことを特徴とする液体用輸送貯蔵容器。
【発明の詳細な説明】
【技術分野】
【０００１】
本発明は、特に液体用輸送貯蔵容器のためのパレット状下部構造に関する。液体貯蔵容器には、閉塞可能な充填狭窄部と排出構造を接続するための排出狭窄部とを有するプラスチック製の内側容器が設けられる。上記下部構造は、金属格子または金属板からなる外側ジャケットと、内側容器を支える底部と、複数のコーナー脚部と、コーナー脚部の間に配置される複数の中央脚部と、底部横断部材とを有する。少なくとも外側ジャケットおよび底部横断部材は、少なくとも２つの中央脚部に取り付けられる。各中央脚部と外側ジャケットと底部横断部材とは、ねじでぴったりと連結される。また、本発明は、このような下部構造を有する輸送貯蔵容器にも関する。
【発明の概要】
【発明が解決しようとする課題】
【０００２】
上述したタイプの下部構造は、例えば、プラスチック製の内側容器の貯蔵および輸送に適した積載運搬手段によって操作可能な台を形成する。この場合、外側ジャケットは、比較的壊れ易い内側容器を損傷から守る働きがある。したがって、パレット状下部構造は、特に、例えば輸送貯蔵容器が床に当たったときに内側容器に作用する衝撃荷重を吸収するようになっている。特に、輸送貯蔵容器が傾いた状態で床や地面に打ちつけられた場合、内側容器内部の流動性物質の慣性質量により、内側容器が変形したり、下部構造の底面においてずれたりする恐れがある。その結果、外側ジャケットが下部構造の底面領域において変形して、外側ジャケットおよび下部構造の底面によって形成される内側容器の保護外装が、この領域において破れて開き、内側容器が破損する恐れがある。したがって、一般的にそのような破損から輸送貯蔵容器を保護することが望ましいが、有害物質の輸送が想定される輸送貯蔵容器については、対応する規格化された落下試験を行うことが考えられる。
【０００３】
輸送貯蔵容器用の下部構造を、正当な材料費および低コストを実現しつつも可能な限り安定性のあるものにするために、底部を挟み込んだ状態で外側ジャケットを複数の脚部に直接ねじ留めすることが知られている。この場合、下部構造の底部と複数の脚部は、パレットを構成し、複数の脚部は、下部においてスキッドまたはフレームによって互いに連結されてもよい。底部には内側容器を支える働きがあるため、底面の下に底部横断部材を追加的に設けるのが一般的である。この底部横断部材は、２つの中央脚部の間に配置されて、これらを互いに連結する。底部横断部材には、輸送貯蔵容器が脚部フレーム側面に沿って地面に当たった場合に下部構造を安定させるという追加的な働きがある。
【０００４】
従来の輸送貯蔵容器または下部構造では、外側ジャケットまたは外側ジャケットの下面が、底部と底部横断部材と複数の中央脚部とにねじで連結される。下部構造を可能な限りシンプルで費用効率が良くなるように設計するために、ねじは、周縁部、底部および底部横断部材における十分な大きさのクリアランス開口に案内され、中央脚部だけにねじ留めされている。輸送貯蔵容器が上述のように脚部フレーム側面に沿って床に当たった場合、相当な引張荷重がねじにかかるため、ねじが取れたり、ねじ山が中央脚部からちぎれる恐れがある。その上、外側ジャケットの下部周縁部が下部構造の底部から離れて、この領域において内側容器が変形したり破損したりする恐れがある。ここで、外側ジャケット周縁部からねじに作用する引張力は、もっぱら周縁部からねじを通じて中央脚部まで流れるだけであるため、ねじと中央脚部とのリンク結合に直接作用する。特に、軽量で費用効率の良い材料（例えばプラスチックや木）が中央脚部に用いられる場合、ねじと中央脚部をねじ留めすることが弱点となることが落下試験で判明している。また、ねじは、取り付け時に間違って配置されたり、締めすぎたりする恐れがある。貯蔵場所によっては、高温が、例えばプラスチックを含むねじ連結部を弱める虞がある。
【０００５】
そのような取付構造において、構成部分の取り付け時の相対的な位置決めを容易にするために、周縁部と底部と底部横断部材とに十分な大きさのクリアランス開口を設けることが不可欠である。そうすることで、周縁部、底部および底部横断部材の互いの位置を容易に合わせることができ、また、ねじをクリアランス開口に容易に挿入して中央脚部に締結することができる。特に、クリアランス開口が、上述の構成部分とねじとの間に比較的大きな遊びを有するような大きさであれば有利である。
【０００６】
したがって、本発明は、安全性の向上を保証しつつシンプルで費用効率の良いやり方で製造される液体用輸送貯蔵容器のためのパレット状下部構造および下部構造を有する輸送貯蔵容器を提案するという課題に基づいてなされるものである。
【課題を解決するための手段】
【０００７】
この課題を解決するために、本発明に係る下部構造は、請求項１に記載の特徴を有し、本発明に係る輸送貯蔵容器は、請求項１７に記載の特徴を有する。
【０００８】
本発明に係る下部構造は、特に液体用輸送貯蔵容器のためのものであり、該液体用輸送貯蔵容器には、閉塞可能な充填狭窄部と、排出構造を接続するための排出狭窄部とを有するプラスチック製の内側容器が設けられ、上記下部構造は、金属格子または金属板からなる外側ジャケットと、内側容器を支える底部と、複数のコーナー脚部と、コーナー脚部の間に配置される複数の中央脚部と、コーナー脚部の間に配置される底部横断部材と有し、少なくとも外側ジャケットおよび底部横断部材は、少なくとも２つの中央脚部に取り付けられ、少なくとも各中央脚部と外側ジャケットと底部横断部材とは、取付構成において互いにねじでぴったりと連結され、底部横断部材の周辺および外側ジャケットの周縁部の周辺に至るブラケットが設けられ、上記ねじは、ブラケットの複数の脚を貫通している。
【０００９】
具体的には、ねじが、ボルトのねじ山を有する底部横断部材のねじ山と係合することでぴったりと連結される。このように、底部横断部材と外側ジャケットとの間に作用する引張力がねじを介して伝達されるようなやり方で、ねじを底部横断部材と係合させる。したがって、外側ジャケットに引張力が作用した結果、力の流れが外側ジャケットからねじに伝達され、ねじを通じて底部横断部材に移動するような固定方法で、ねじを底部横断部材に連結させる。したがって、ねじは底部横断部材に直に固定的に連結される。また、ねじは各中央脚部に固定的に連結されるので、例えば輸送貯蔵容器が打ちつけられることにより外側ジャケットがねじ内にもたらす引張力を、底部横断部材および中央脚部に移動できる。ねじと中央脚部とのねじ連結部のストレスは、このようにして低減される。その結果、さらなる構成部分を必要とすることなく、下部構造の安定性や安全性が増すこととなる。ねじと底部横断部材とをねじ留めする際に腐食の可能性はない。なぜなら、ねじは底部横断部材に固定的に連結またはねじ留めされているので、表面の耐食コーティングが無くなる可能性や、構造要素の相対的な動きによって摩耗する可能性がないからである。
【００１０】
好ましい実施形態では、中央脚部と、外側ジャケットと、底部と、底部横断部材とはねじによってぴったりと連結されていてもよい。このように実現される取付構成も、下部構造の底部を有するが、それは、中央脚部の領域において前述の構成と必ずしも連結されている必要はない。
【００１１】
また、ねじは、それぞれ外側ジャケットおよび底部に形成されたクリアランス開口を通過してもよい。クリアランス開口の内周縁とねじとの間に十分な遊びを残すようにクリアランス開口を形成することが好ましい。外側ジャケットのクリアランス開口を、外側ジャケットの外周端に形成してもよい。外側ジャケットが、例えば、金属製の水平格子バーおよび垂直格子バーを交差させたものである場合、クリアランス開口をそれぞれ下部水平パイプに形成し、それを外周端としてもよい。
【００１２】
または、底部にねじ山が形成され、ねじがこのねじ山と連結されていてもよい。したがって、ねじは、ねじ連結によって中央脚部と底部横断部材とだけに連結されるのではなく、下部構造の底部にも連結される。したがって、ねじに生じる引張力を底部にも伝達できる。
【００１３】
底部横断部材は、好ましくは金属製であってもよく、底部は、金属またはプラスチック材料によって構成されていてもよい。底部横断部材を、例えば、外郭要素としてまたは金属板を成形することで形成される構造要素として、一つの部品に構成することも考えられる。また、底部を、深絞り金属板またはプラスチック材料から、特に、費用効率が良く安定的なやり方で形成してもよい。
【００１４】
ねじが係合するクリアランス開口を底部横断部材に形成すれば、ねじと底部横断部材との連結を特に簡単に実現することが可能である。こうすることで、下部構造の取り付けの際に、ねじを常に確実に底部横断部材の想定される場所にねじ込むことができる。クリアランス開口を、丸形の穿孔または長形孔として構成してもよい。特に、底部横断部材にねじ用のクリアランス開口がないと、ねじを底部横断部材の素材にねじ込むのに大きな力が必要である。また、クリアランス開口を形成する際に、底部横断部材の素材の厚みをどのくらいにするのかについてもほとんど重要ではない。このようにして、底部横断部材を特に安定させることができる。
【００１５】
また、クリアランス開口の内径は、ねじの外径よりも小さくてもよい。こうすることで、ねじのねじ山が、クリアランス開口領域において、実際に底部横断部材の素材に確実に係合できる。
【００１６】
好適には、クリアランス開口にはくぼみが形成されていてもよい。くぼみ、または空隙、またはビード（ｂｅａｄ）によって、ねじがクリアランス開口に向かって案内されるようなかたちとなり、ねじをクリアランス開口に容易に導入可能となる。また、クリアランス開口部またはねじ留め接続部が、くぼみによって安定化するため、くぼみによってねじが底部横断部材から抜けにくくなる。底部横断部材に形成されたクリアランス開口の内周縁が一回転を実現するように、またはねじのリードと合うように、くぼみを構成してもよい。くぼみを、開口角度が９０度となるように構成してもよい。また、くぼみを、丸形もしくは楕円形になるように、または長形孔を有するように構成してもよい。
【００１７】
したがって、ねじ山または内側ねじ山が底部横断部材に形成されて、ねじがこのねじ山と係合してもよい。この場合、ねじ山をクリアランス開口に形成した上で、このねじ山にねじを単にねじ込むようにしてもよい。
【００１８】
ねじ山は、ねじを用いて形成されてもよい。この場合、ねじによって、ねじ山を底部横断部材に切り込んだり、成形したりしてもよい。したがって、ねじは、自己穿孔式のねじ、またはねじ山形成ねじであってもよい。上記ねじ山の形成のため、および底部横断部材と中央脚部とへの連結のために、いわゆるタッピングねじ（ｔａｐｐｉｎｇ  ｓｃｒｅｗ）またはいわゆるねじ釘を使用してもよい。
【００１９】
また、中央脚部と外側ジャケットとの間に生じる引張力がねじを介して伝わるように、ねじを中央脚部とぴったりと係合させてもよい。したがって、上述したように、引張力は完全にねじだけで中央脚部に伝達されるのではなく、かなりの部分が底部横断部材にも受け入れられる。このように構成された中央脚部にねじ込まれたねじまたはねじ連結部は、応力が低減されるため、特に、中央脚部がプラスチック材料または木材で構成される場合には、ねじが中央脚部から外れるのを回避できる。
【００２０】
下部構造をより安全でより安定的なものにするために、底部横断部材は、更なるねじによって中央脚部にぴったりと連結されていてもよい。引張力は、底部横断部材に伝達された後、ねじを介して中央脚部に伝達される。好適には、底部横断部材と、上記更なるねじと、中央脚部とで構成されるこのような更なる取付構成により、輸送貯蔵容器が打ちつけられて中央脚部が底部横断部材から外れてしまわないようにすることができる。このように、中央脚部に作用する横方向の力も、更なるねじを介して底部横断部材に伝達することができる。
【００２１】
複数の中央脚部をプラスチック材料によって構成すれば、特に好適であることが分かっている。このような中央脚部は、特に安定していて耐湿性があり、費用効率良く製造できる。または、中央脚部を金属、木、あるいはその他の適切な材料によって構成してもよい。
【００２２】
中央脚部にねじ山が形成され、当該ねじ山にねじが係合してもよい。この場合、ねじ自体が、中央脚部の内側のねじ山を切り込んだり、成形したりできる。中央脚部にねじ山を先に形成しておいてもよい。好ましくは、取り付け時のねじの確実な案内と位置合わせとを保証するために、成形（例えば凹部や穿孔など）を中央脚部に施してもよい。
【００２３】
下部構造において、互いに対向する２つの中央脚部が底部横断部材によって互いに連結されていてもよい。こうすることで、下部構造の底部を、底部横断部材によって特に簡単に支持または安定化させることができる。底部横断部材は、３つの中央脚部を互いに連結してもよい。その場合、第３の中央脚部を、外側の２つの中央脚部の中間において底部横断部材に取り付け可能である。または、底部の直交する横方向の縁に配置された２つの中央脚部を、底部横断部材が底部の下を斜めに走るように、底部横断部材によって互いに連結することも可能である。
【００２４】
相補的に、底部横断部材の周辺、底部の周辺、および外側ジャケットの周縁部の周辺に達するブラケットを設けてもよく、この場合、ねじはブラケットの複数の脚を貫通していてもよい。そのとき、ブラケットは、周縁部と、底部と、底部横断部材と、中央脚部とにねじ留めできる。そうすることで、ねじに作用する引張力を少なくとも部分的にブラケットに移動させることができる。
【００２５】
閉塞可能な充填狭窄部と排出構造を接続するための排出狭窄部とを有するプラスチック製の内側容器が設けられる本発明に係る液体用輸送貯蔵容器において、当該内側容器は、請求項１から１６の１つ以上に係るパレット状下部構造の底部に配置される。
【図面の簡単な説明】
【００２６】
【図１】従来技術に係るパレット状下部構造を示す斜視図である。
【図２】図１の下部構造の中央脚部を詳細に示す図である。
【図３】図１の従来技術に係る下部構造の側面図である。
【図４】図３のＩＶ-ＩＶ線に沿った断面図である。
【図５】下部構造の中央脚部領域の断面図である。
【図６】図５の断面図を詳細に示す図である。
【図７】図５の下部構造の中央脚部を詳細に示す斜視図である。
【図８】図５の下部構造の底部横断部材の斜視図である。
【発明を実施するための形態】
【００２７】
以下、好ましい実施形態を図面を用いて詳細に説明する。
【００２８】
図１から図４は、輸送貯蔵容器１０を異なる方向から見た図である。特に、輸送貯蔵容器１０の内側容器はここでは詳細には描かれておらず、輸送貯蔵容器１０の下部構造１１のみが描かれている。下部構造１１は、実質的には、外側ジャケット１２と、底部１３と、複数のコーナー脚部１４と、コーナー脚部１４の間に設けられた複数の中央脚部１５と、中央脚部１５の間に位置する底部横断部材１６とによって構成される。詳細には、コーナー脚部１４と中央脚部１５はスキッド１７または１８上に設けられる。底部１３、コーナー脚部１４、中央脚部１５、底部横断部材１６、およびスキッド１７、１８がパレット１９を構成する。パレット１９上に設けられる外側ジャケット１２は、金属製の水平格子バー２０および垂直格子バー２１を交差させることによって実現する。具体的には、パレット１９に載置されている外側ジャケット１２の下部格子バー２０は、パイプ２２によって構成される。パイプ２２は、複数の取付箇所２３においてコーナー脚部１４に連結されるとともに、複数の取付箇所２４において中央脚部１５に連結される。
【００２９】
図２と図４に、中央脚部１５との取付箇所２４を示す。図２には底部１３は描かれていない。底部横断部材１６は金属製の外郭体（ｐｒｏｆｉｌｅｄ  ｂｏｄｙ）２５からなり、中央脚部１５の上側２６に配置される。また、底部１３は、中央脚部１５の縁部領域２７において、底部横断部材１６または底部横断部材１６上の外郭体２５の上に設置されている。また、底部１３にはクリアランス開口３９がさらに設けられる。ねじ４０が、クリアランス開口３９と外郭体２５のクリアランス開口３６とを通じて中央脚部１５にねじ込まれている。この場合、クリアランス開口３６または３９の内径４２および４３は非常に大きいので、ねじ４０の胴部４５に対して十分な遊びがある。これにより、内径４２および４３の領域においてねじ４０との接触が回避される。ここでは詳細に図示していないが、外郭体２５のクリアランス開口３６の場合も同様である。
【００３０】
輸送貯蔵容器１０が打ち付けられることによって中央脚部１５の外縁４６にもたらされる衝撃力により、内側容器（ここでは図示せず）が外側ジャケット１２内で変形したり、ずれたりする。その結果、外側ジャケット１２によって、ねじ４０に対し、その縦軸方向４７に引張力が与えられる。この場合、引張力は、ねじ４０の中央脚部１５とのねじ連結４８に直接作用する。
【００３１】
図５と図６には、輸送貯蔵容器（ここでは詳細に示さず）の下部構造５１の中央脚部５２領域の断面図を示す。以下に述べる相違点以外は、輸送貯蔵容器および下部構造５１の基礎構造は図１から図４に示す輸送貯蔵容器に対応する。下部構造５１の外側ジャケット５３は、パイプ５４とともに、下部構造５１の底部５６の周縁支持面５５に載置される。底部５６は、底部横断部材５９を構成する一部品からなる外郭体５８とともに、中央脚部５２の縁部領域５７に載置される。底部横断部材５９または外郭体５８は、中央脚部５２を対向する中央脚部（ここでは詳細を図示せず）に連結する。また、ねじ６０を、プラスチック材料からなる中央脚部５２の上側６１にねじ込むことによってねじ連結部６２を構成することが考えられる。このようにして、ねじ６０は、外側ジャケット５３を、底部５６と外郭体５８または底部横断部材５９と中央脚部とにパイプ５４を介して連結し、これにより、中央脚部５２の取付箇所６４において取付構成６３が実現される。
【００３２】
図６の拡大図から、ねじ６０は、パイプ５４のクリアランス開口６５と、底部５６のクリアランス開口６６と、外郭体５８のクリアランス開口６７とを通って案内されることが分かる。具体的には、クリアランス開口６５の内径６８とクリアランス開口６６の内径６９を、ねじ６０またはねじ６０の胴部７０が遊びを残しつつクリアランス開口６５および６６を通って案内されるように選定する。ここではもう見えないが、クリアランス開口６７の内径は、ねじ６０の外径７１よりも小さくなるようにする。そうすることで、ねじ６０をクリアランス開口６７にねじ込むときに、ねじ６０の外側のねじ山７２によってクリアランス開口６７に内側のねじ山７３が形成されて、底部横断部材５９とねじ６０との間にねじ連結部７４が形成される。したがって、輸送貯蔵容器が打ち付けられることによってねじ６０の縦軸方向７５に負荷が作用するという上述の場合にもたらされる引張力は、このようにねじ６０を介して中央脚部５３に伝達される。引張力の一部は、ねじ連結部７４が形成されることで、外郭体５８または底部横断部材５９に等しく伝達される。中央脚部５２とのねじ連結６２は、従来のようにブラケットを必要とすることなく、引張力のこの部分の量によって軽減される。
【００３３】
補完的に、外郭体５８を中央脚部５２にねじ留めによって連結する第２のねじ７６が想定される。ねじ７６と外郭体５８と中央脚部５２とは、さらなる取付構成７７を実現する。取付構成７７は、中央脚部５２を外郭体５８に間違いなく配置するのに役立つ。
【００３４】
図７は、底部を除く下部構造５１の斜視図である。具体的には、外側ジャケット５３が垂直格子バー７８と水平格子バー７９によって構成されていることが分かる。外側ジャケット５３の下部格子バー７９は、パイプ５４を構成する。
【００３５】
図８は、中央脚部５２の上側６１に載置される底部横断部材５９の端部８０を示している。底部横断部材５９または外郭体５８は、成形金属板から構成され、特に、ねじ７６用のクリアランス開口８１を有している。この場合、クリアランス開口８１の内径８２は、ねじ７６をクリアランス開口８１に楽に押し込んだりねじ込んだりできるように構成される。この図で示されるクリアランス開口６７には、まだ内側のねじ山が形成されていない。ねじ６０がまだねじ込まれておらず、ねじ山がまだ形成されていないからである。また、クリアランス開口６７の領域にはくぼみ８３が形成されている。くぼみ８３は、後に形成されるねじ接合部を補強するとともに、取り付けの際にねじを案内する働きを有する。クリアランス開口６７の内径８４は、具体的には、ねじ６０の外側のねじ山７２よりも小さくなるように構成されている。
【図１】
2018508421.tif 000003
【図２】
2018508421.tif 000004
【図３】
2018508421.tif 000005
【図４】
2018508421.tif 000006
【図５】
2018508421.tif 000007
【図６】
2018508421.tif 000008
【図７】
2018508421.tif 000009
【図８】
2018508421.tif 000010
【国際調査報告】
2018508421.tif 000011
2018508421.tif 000012
2018508421.tif 000013
2018508421.tif 000014
2018508421.tif 000015
2018508421.tif 000016